【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
携帯端末と第１のネットワークを介して接続する情報処理装置であって、
前記携帯端末の第１のインターフェース手段が有する個体識別情報を取得し、当該個体識別情報に基づいて仮想インターフェースを生成する仮想インターフェース生成手段と、
第２のネットワークを介して前記携帯端末に接続されたデバイスからアドレス情報を取得するアドレス情報取得手段と、
前記アドレス情報取得手段で取得した前記アドレス情報の一部分を変更し、前記仮想インターフェースに対して設定するアドレス情報設定手段と、
前記携帯端末の第１のインターフェース手段に接続されたデバイスを前記仮想インターフェースに直接接続されているようにシミュレートする仮想化制御手段と、
を備えることを特徴とする情報処理装置。
【請求項２】
前記携帯端末の第１のインターフェース手段の動作状態の変化を検知するまでの間、上位層から前記第１のインターフェース手段に対して送出される要求情報に対する応答情報を擬製して前記上位層に通知する状態変化検知手段を更に備えることを特徴とする請求項１に記載の情報処理装置。
【請求項３】
第１のデータ形式でデータ送受信する第１のインターフェース手段と、第２のデータ形式でデータ送受信する第２のインターフェース手段と、を備える携帯端末であって、
前記第１のインターフェース手段の個体識別情報を第１のネットワークを介して接続された情報処理装置に送信する個体識別情報送信手段と、
第２のネットワークを介して前記携帯端末に接続されたデバイスからアドレス情報を取得するアドレス情報取得手段と、
前記アドレス情報取得手段で取得したアドレス情報を前記情報処理装置に送信するアドレス情報送信手段と、
当該個体識別情報に基づいて前記情報処理装置が生成する仮想インターフェースを介して前記第１のインターフェース手段に接続されているデバイスを直接接続しているようにシミュレートさせる仮想化制御手段と、
前記仮想化制御手段によって前記情報処理装置に前記デバイスをシミュレートさせる際、前記第１のデータ形式と前記第２のデータ形式を相互に変換するデータ形式変換手段と、
を備えることを特徴とする携帯端末。
【請求項４】
前記携帯端末が具備する所定の機能を前記携帯端末に接続された内部デバイスとして前記情報処理装置に識別させるための仮想デバイス識別情報を記憶する識別情報記憶手段と、
前記仮想デバイス識別情報を前記情報処理装置に送信する識別情報送信手段と、
前記情報処理装置が前記仮想デバイス識別情報に応じて識別した前記内部デバイスを制御する際、前記内部デバイスと前記携帯端末との間は第３のデータ形式でデータ通信し、前記情報処理装置と前記携帯端末との間は第４のデータ形式でデータ通信する仮想デバイス制御手段と、
を備えることを特徴とする請求項３に記載の携帯端末。
【請求項５】
前記仮想インターフェースにアドレス情報を設定するアドレス情報設定手段を更に備えることを特徴とする請求項３又は請求項４に記載の携帯端末。
【請求項６】
前記第１のインターフェース手段の動作状態の変化を検知するまでの間、前記情報処理装置から送られてくる要求情報を擬製して当該第１のインターフェースに送り、前記擬製した要求情報に対する応答情報を前記情報処理装置に対して送信しないように制御する自動通信制御手段を更に備えることを特徴とする請求項３乃至請求項５のいずれか一項に記載の携帯端末。
【請求項７】
請求項１に記載の情報処理装置と、請求項３乃至請求項５のいずれか一項に記載の携帯端末とが通信回線を介して接続されていることを特徴とするデバイス制御システム。
【請求項８】
請求項２に記載の情報処理装置と、請求項６に記載の携帯端末とが通信回線を介して接続されていることを特徴とするデバイス制御システム。
【請求項９】
携帯端末と第１のネットワークを介して接続する情報処理装置の制御方法であって、
前記携帯端末の第１のインターフェース手段が有する個体識別情報を取得し、当該個体識別情報に基づいて仮想インターフェースを生成する仮想インターフェース生成ステップと、
第２のネットワークを介して前記携帯端末に接続されたデバイスからアドレス情報を取得するアドレス情報取得ステップと、
前記アドレス情報取得ステップで取得した前記アドレス情報の一部分を変更し、前記仮想インターフェースに対して設定するアドレス情報設定ステップと、
前記携帯端末の第１のインターフェース手段に接続されたデバイスを前記仮想インターフェースに直接接続されているようにシミュレートする仮想化制御ステップと、
を備えることを特徴とする情報処理装置の制御方法。
【請求項１０】
前記携帯端末の第１のインターフェースの動作状態の変化を検知するまでの間、上位層から前記第１のインターフェース手段に対して送出される要求情報に対する応答情報を擬製して前記上位層に通知する状態変化検知ステップを更に備えることを特徴とする請求項９に記載の情報処理装置の制御方法。
【請求項１１】
第１のデータ形式でデータ送受信する第１のインターフェース手段と、第２のデータ形式でデータ送受信する第２のインターフェース手段と、を備える携帯端末の制御方法であって、  
前記第１のインターフェース手段の個体識別情報を第１のネットワークを介して接続された情報処理装置に送信する個体識別情報送信ステップと、
第２のネットワークを介して前記携帯端末に接続されたデバイスからアドレス情報を取得するアドレス情報取得ステップと、
前記アドレス情報取得ステップで取得したアドレス情報を前記情報処理装置に送信するアドレス情報送信ステップと、
当該個体識別情報に基づいて前記情報処理装置が生成する仮想インターフェースを介して前記第１のインターフェース手段に接続されているデバイスを直接接続しているようにシミュレートさせる仮想化制御ステップと、
前記仮想化制御ステップにおいて前記情報処理装置に前記デバイスをシミュレートさせる際、前記第１のデータ形式と前記第２のデータ形式を相互に変換するデータ形式変換ステップと、
を備えることを特徴とする携帯端末の制御方法。
【請求項１２】
前記携帯端末が具備する所定の機能を前記携帯端末に接続された内部デバイスとして前記情報処理装置に識別させるための仮想デバイス識別情報を記憶する識別情報記憶ステップと、
前記仮想デバイス識別情報を前記情報処理装置に送信する識別情報送信ステップと、
前記情報処理装置が前記仮想デバイス識別情報に応じて識別した前記内部デバイスを制御する際、前記内部デバイスと前記携帯端末との間は第３のデータ形式でデータ通信し、前記情報処理装置と前記携帯端末との間は第４のデータ形式でデータ通信する仮想デバイス制御ステップと、
を備えることを特徴とする請求項１１に記載の携帯端末の制御方法。
【請求項１３】
前記仮想インターフェースにアドレス情報を設定するアドレス情報設定ステップを更に備えることを特徴とする請求項１１又は請求項１２に記載の携帯端末の制御方法。
【請求項１４】
前記第１のインターフェースの動作状態の変化を検知するまでの間、前記情報処理装置から送られてくる要求情報を擬製して当該第１のインターフェースに送り、前記擬製した要求情報に対する応答情報を前記情報処理装置に対して送信しないように制御する自動通信制御ステップを更に備えることを特徴とする請求項１１乃至請求項１３のいずれか一項に記載の携帯端末の制御方法。
【手続補正２】
【補正対象書類名】明細書
【補正対象項目名】０００７
【補正方法】変更
【補正の内容】
【０００７】
上記の目的を達成するため、本発明による情報処理装置は、携帯端末と第１のネットワークを介して接続する情報処理装置であって、前記携帯端末の第１のインターフェース手段が有する個体識別情報を取得し、当該個体識別情報に基づいて仮想インターフェースを生成する仮想インターフェース生成手段と、第２のネットワークを介して前記携帯端末に接続されたデバイスからアドレス情報を取得するアドレス情報取得手段と、前記アドレス情報取得手段で取得した前記アドレス情報の一部分を変更し、前記仮想インターフェースに対して設定するアドレス情報設定手段と、前記携帯端末の第１のインターフェース手段に接続されたデバイスを前記仮想インターフェースに直接接続されているようにシミュレートする仮想化制御手段と、を備えることを特徴とする。
【手続補正３】
【補正対象書類名】明細書
【補正対象項目名】０００８
【補正方法】変更
【補正の内容】
【０００８】
上記の目的を達成するため、本発明による携帯端末は、第１のデータ形式でデータ送受信する第１のインターフェース手段と、第２のデータ形式でデータ送受信する第２のインターフェース手段と、を備える携帯端末であって、前記第１のインターフェース手段の個体識別情報を第１のネットワークを介して接続された情報処理装置に送信する個体識別情報送信手段と、第２のネットワークを介して前記携帯端末に接続された前記デバイスからアドレス情報を取得するアドレス情報取得手段と、前記アドレス情報取得手段で取得したアドレス情報を前記情報処理装置に送信するアドレス情報送信手段と、当該個体識別情報に基づいて前記情報処理装置が生成する仮想インターフェースを介して前記第１のインターフェース手段に接続されているデバイスを直接接続しているようにシミュレートさせる仮想化制御手段と、前記仮想化制御手段によって前記情報処理装置に前記デバイスをシミュレートさせる際、前記第１のデータ形式と前記第２のデータ形式を相互に変換するデータ形式変換手段と、を備えることを特徴とする。